(57)【要約】【課題】基礎を持たない簡易的なパイプハウスや曲面の多い屋根面を有するハウスであっても補強工事をする必要がなく、太陽光発電モジュールの設置が容易であり、かつ、ハウス内の作物の栽培に必要な光合成と発電効率とのバランスが十分にとれた園芸用連棟ハウスを提供する。【解決手段】屋根の稜線を南北方向に向けた複数のハウスを谷樋を介して複数棟連接した園芸用連棟ハウスにおいて、前記谷樋に隣接する前記屋根の西側裾部にシート型太陽光発電モジュールを設ける。【選択図】図１
2015100303.tif 000002
【特許請求の範囲】
【請求項１】
屋根の稜線を南北方向に向けた複数のハウスを谷樋を介して複数棟連接した園芸用連棟ハウスにおいて、前記谷樋に隣接する前記屋根の西側裾部にシート型太陽光発電モジュールを設けたことを特徴とする園芸用連棟ハウス。
【発明の詳細な説明】
【技術分野】
【０００１】
本発明は、園芸用連棟ハウスに関し、詳しくは、屋根の谷部の西側面にシート型太陽光発電モジュールを設けた園芸用連棟ハウスに関する。
【背景技術】
【０００２】
二酸化炭素排出を削減するために、ハウス内の冷暖房や照明設備に化石燃料を使用せず、屋根に太陽光発電パネルを設置し、そのエネルギーを利用している園芸用ハウスが知られている（例えば、特許文献１参照。）。
【先行技術文献】
【特許文献】
【０００３】
【特許文献１】実用新案登録第３１６１９８０号公報
【発明の概要】
【発明が解決しようとする課題】
【０００４】
しかし、国内で最も多く普及している太陽光発電モジュールである結晶体シリコンのバルク型モジュールはかなりの重量があるため、基礎を持たない簡易的なパイプハウスの屋根面に設置するには、その重量を支えるための補強工事が必要となってしまう。また、パネル自体の柔軟性がないため、曲面の多い屋根面への設置は困難であった。
【０００５】
さらに、特許文献１に記載の園芸用ハウスは、発電効率を上げるために太陽光発電モジュールを南向きの屋根全面に設置しているが、太陽光発電モジュールは基本的に不透明であり、作物の栽培に必要不可欠な太陽光が十分ハウス内に取り入れられず、光合成低下に伴う生育不良の問題が生じてしまう可能性があった。
【０００６】
そこで本発明は、基礎を持たない簡易的なパイプハウスや曲面の多い屋根面を有するハウスであっても補強工事をする必要がなく、太陽光発電モジュールの設置が容易であり、またハウス内の作物の栽培に必要な光合成と発電効率とのバランスが十分にとれた園芸用連棟ハウスを提供することを目的としている。
【課題を解決するための手段】
【０００７】
上記目的を達成するため、本発明の園芸用連棟ハウスは、屋根の稜線を南北方向に向けた複数のハウスを谷樋を介して複数棟連接した園芸用連棟ハウスであって、前記谷樋に隣接する前記屋根の西側裾部にシート型太陽光発電モジュールを設けたことを特徴としている。
【発明の効果】
【０００８】
本発明の園芸用連棟ハウスによれば、軽量で柔軟性のあるシート型太陽光発電モジュールを利用することにより、屋根面へ設置するための補強をする必要がなく、曲面の多い屋根面でも設置が可能となる。また、屋根面の谷部の西側にのみ設置することにより、作物の光合成にとって重要な午前中の時間帯は、モジュールの影が谷樋の影と重なることから、実質的にハウス内の作物の生育への悪影響を低減できる。
【図面の簡単な説明】
【０００９】
【図１】本発明の基本的概念を示す説明図である。
【図２】本発明に係る園芸用連棟ハウスの一実施形態を示す正面図である。
【図３】同じく要部の平面図である。
【図４】図２のＡ部拡大図である。
【図５】春分（秋分）の日における谷樋と太陽光発電モジュールの影のシミュレーション結果を示す８時から１０時の図である。
【図６】同じく１１時から１４時の図である。
【図７】同じく１５時から１７時の図である。
【発明を実施するための形態】
【００１０】
以下、図面を参照して本発明の実施の形態について説明する。
【００１１】
図１は、本発明の基本的概念を表す説明図である。図１に示すように、本発明による園芸用連棟ハウス１は、各ハウス１ａの稜線を南北方向に向けており、屋根の谷部の西側面にシート型太陽光発電モジュール２を設置している。太陽３が東から昇っている午前中の間は、作物の生育に必要な光合成のために太陽光を取り込み、西に沈む午後の時間には太陽光発電を行うものである。
【００１２】
以下、本発明による実施の形態の詳細について説明する。 
図２乃至図４に示す園芸用連棟ハウス１１は、各ハウスの屋根の稜線３０を南北方向に向けるように、所定の間隔で配設された連棟中央柱１２、側面柱１３、アーチパイプ１４、横梁１５、母屋パイプ１６等といった骨組で形成され、これらを覆う形でハウス被覆フィルム１７が全面に取り付けられている。また、屋根には、換気窓１８が設けられ、巻上機１９により開閉される。さらに、アーチの谷部には、排水用の谷樋２０が設けられている。
【００１３】
谷樋２０に隣接する屋根の西側裾部には、ハウス被覆フィルム１７の内側に、シート型太陽光発電モジュール２１が設置されている。このシート型太陽光発電２１は、アモルファスシリコンによるフレキシブル型のものであり、非常に軽量であることから、基礎を持たない簡易的なパイプハウスであっても、設置に際し補強工事をする必要がない。なお、気象条件等によっては、モジュール２１をハウス被覆フィルムの外側に設置してもよい。
【００１４】
図５乃至図７は、春分（秋分）の日における谷樋と太陽光発電モジュールの影の発生位置をシミュレーションしたものである。
【００１５】
８時から１０時の間は、太陽光発電モジュール２１の設置場所よりも西側に影が発生し、影の幅自体もモジュール２１の幅より狭く、一部は谷樋２０の影と重なる。
【００１６】
１１時から１４時は、影の発生が、モジュール２１の設置場所直下であり、ハウスの端境部にあたることから作物の非生育エリアに該当する。１３時以降から、影の幅がモジュール２１の幅より徐々に広くなる。
【００１７】
１５時以降は、影がモジュール２１の設置場所よりも東側に発生し、影の幅がモジュール２１の幅よりも広くなってしまう。
【００１８】
このように、午前中には、太陽光発電モジュール２１の影が谷樋２０の影と重なるため、ハウス内の影を増やすことはない。一方、午後は、徐々にモジュール２１の影がハウス内に広がるが、すでに光合成のプライムタイムが終わりに近づいているため、作物の生育への影響は少ない。
【００１９】
例えば、間口４．５ｍ、奥行４４ｍのハウスを１２棟併設した園芸用連棟ハウスに、長さ２ｍ、幅５０ｃｍで１枚あたりの最大出力が５５Ｗのモジュールのシート型太陽光発電モジュールを１棟あたり１９枚設置した場合、総計２２８モジュール設置されているので、発電設備容量は１２．５ｋＷＰとなる。
【００２０】
このように発電された電力は、蓄電して、夜間にこのハウス内で使用される負荷機器（天窓モーター、サイド巻上モーター、温風暖房機ファン）等に使用してもよいし、負荷機器があまり稼動しない昼間に関しては、余剰電力を売電することもできる。
【符号の説明】
【００２１】
１、１１…園芸用連棟ハウス、２、２１…シート型太陽光発電モジュール、３…太陽、１２…連棟中央柱、１３…側面柱、１４…アーチパイプ、１５…横梁、１６…母屋パイプ、１７…ハウス被覆フィルム、１８…換気窓、１９…巻上機、２０…谷樋、３０…稜線
【図１】
2015100303.tif 000003
【図２】
2015100303.tif 000004
【図３】
2015100303.tif 000005
【図４】
2015100303.tif 000006
【図５】
2015100303.tif 000007
【図６】
2015100303.tif 000008
【図７】
2015100303.tif 000009